(57)【要約】  照明器具はＬＥＤ光源と、ＬＥＤ光源を収容する筐体と、ＬＥＤ光源と電気的に接続されＬＥＤ光源を点灯制御する点灯制御部とを有する。筐体は、互いに対向する第１の面と第２の面と、第３の面と第４の面と第５の面とを内面として有する。筐体は開口部を有し、開口部は第１の面と第２の面と第３の面と第５の面とで囲われて、第４の面と対向する。筐体は第１の面と第２の面とが対向する方向が長手方向となるように形成される。筐体の内面の少なくとも一部には反射部が設けられている。
2013183205.tif 000002
【特許請求の範囲】
【請求項１】
ＬＥＤ光源と、
前記ＬＥＤ光源を収容する筐体と、
前記ＬＥＤ光源と電気的に接続され、かつ前記ＬＥＤ光源を点灯制御する制御部と、を備え、
前記筐体は、
前記筐体の長手方向において互いに対向する第１の面および第２の面と、
前記第１の面と前記第２の面とを繋ぐ第３の面と、
前記第３の面に接続され、前記第１の面と前記第２の面とを繋ぐ第４の面と、
前記第４の面に接続され、前記第１の面と前記第２の面とを繋ぐ第５の面と、
前記第１の面と前記第２の面と前記第３の面と前記第５の面とで囲われる開口部と、を有し、
前記第１の面と前記第２の面と前記第５の面と前記第３の面と前記第４の面とを有する内面の少なくとも一部に反射部が設けられた、
照明器具。
【請求項２】
前記長手方向から視て、前記反射部において前記ＬＥＤ光源からの光を特定の方向に反射させ、前記反射部で反射した光を前記開口部から外部に放射する、
請求項１記載の照明器具。
【請求項３】
所定場所に定着する構造物に、前記特定の方向が水平面において前記構造物から外側を向く方向に沿うように、設置される、
請求項２に記載の照明器具。
【請求項４】
前記第３の面が前記第５の面よりも下側になるように前記構造物に設置される、
請求項３に記載の照明器具。
【請求項５】
前記第３の面は、前記長手方向に細長い矩形状に形成され、前記第１の面と前記第２の面とを前記長手方向で繋ぎ、
前記第５の面は、前記第３の面と対向するように前記第４の面に接続され、
前記開口部は、前記第４の面に対向する、
請求項１〜４のいずれか１項に記載の照明器具。
【請求項６】
前記ＬＥＤ光源は、前記第３の面に設置される、
請求項１〜５のいずれか１項に記載の照明器具。
【請求項７】
前記筐体の内側において前記第４の面と前記第５の面とはなめらかに接続され、かつ前記第４の面と前記第５の面とは、前記開口部の開口面および前記第３の面のいずれにも垂直な面との交線が放物線である共通の曲面を有する、
請求項１〜６のいずれか１項に記載の照明器具。
【請求項８】
前記筐体の内側において、前記反射部は、前記第１の面と前記第２の面と前記第５の面と前記第３の面と前記第４の面とのそれぞれに設けられた、
請求項７に記載の照明器具。
【請求項９】
前記筐体の内側において前記第４の面は、前記開口部の開口面および前記第３の面のいずれにも垂直な面との交線が放物線である曲面を有し、
前記第５の面は、前記第３の面と平行に設けられた、
請求項１〜６のいずれか１項に記載の照明器具。
【請求項１０】
前記筐体の内側において、前記反射部は、前記第１の面と前記第２の面と前記第３の面と前記第４の面とのそれぞれに設けられ、
前記第５の面には、前記ＬＥＤ光源から放射される光の反射を低減させる反射光低減部が設けられた、
請求項９に記載の照明器具。
【請求項１１】
前記放物線の焦点は前記筐体内に位置し、
前記ＬＥＤ光源は前記焦点に設けられた、
請求項７〜１０のいずれか１項に記載の照明器具。
【請求項１２】
複数の照明器具を備えた照明器具ユニットであって、
前記複数の照明器具の各々は請求項１〜１１のいずれか１項に記載の照明器具であり、
前記複数の照明器具は、前記長手方向と直交する方向に配列され、かつそれぞれの前記開口部が同じ方向に開口するように配置される、
照明器具ユニット。
【請求項１３】
前記複数の照明器具のそれぞれの発光色は独立して変更できる、
請求項１２に記載の照明器具ユニット。
【請求項１４】
前記複数の照明器具は、複数の色と１対１で対応し、
前記複数の照明器具の各々は、前記ＬＥＤ光源から放射される光を、対応する色に変更する発光色変更パネルを備える、
請求項１３に記載の照明器具ユニット。
【発明の詳細な説明】
【技術分野】
【０００１】
本発明は、ＬＥＤ光源からの照射を制御する照明器具およびそれを用いた照明器具ユニットに関する。
【背景技術】
【０００２】
近年、省エネルギー化や省メンテナンス化などの観点から、屋外の照明、またはタワーや橋などの建造物のライトアップやイルミネーションに発光ダイオード（以下、ＬＥＤ）が光源として用いられている。しかし、ＬＥＤ光源は点光源であり発光面が小さいので、反射体を設けることによって発光面を広げる照明装置が提案されている（例えば日本国公開特許第２０１０−１５３４００号公報）。【０００３】
従来の照明装置は、平板をＵ字形状に屈折させた反射体を有し、光源として反射体の峰に複数のＬＥＤ発光素子が設置されている。このような構成によって、上記の従来の照明装置は、発光面を広げ、光を広範囲に照射することができる。【０００４】
橋やタワーなどのイルミネーションの目的として照明装置が使用される場合、放射された光が遠方からでも視認できるように、非常に高出力のＬＥＤ光源が用いられる。【０００５】
しかし、高出力のＬＥＤ光源を用いた場合であっても、発光面が小さいので長距離からの視認性を確保することが難しい。また光源からの発光方向が限られているため視野角が狭い。【０００６】
一方、このような高出力の光源は、特に橋の近傍の上空を通過する航空機、または橋の下を通る船舶の運転手が直視した場合には、その運転手の視力を一時的に低下させることがある。そのため、高出力の光源を有する照明装置を橋に取り付ける際には、特定の方向へ照射することが求められる場合がある。すなわち、例えば橋の近傍を通過する航空機または船舶の運転手の視力を低下させないように、照明装置から放射される光の鉛直方向の放射角は制限される。【０００７】
発光面を広くするためには、上記の従来の照明装置の構成を用いるか、またはレンズによって発光面を広くし視野角を広くすることができる。しかし、レンズによって発光面を広くする場合はレンズが肥大化し製造費が高くなる。また、上記の従来の照明装置の構成を用いた場合は、放射する光の鉛直方向の広がりを制限しにくく、また、光源から近い位置で光が拡散するため、長距離からの視認性に欠けるという課題がある。
【発明の開示】
【０００８】
本発明の目的は、特定の方向へ長距離に渡ってＬＥＤ光源の光を照射できる照明器具および照明器具ユニットを提供することである。
【０００９】
本発明の照明器具および照明器具ユニットは上記課題を解決する照明器具およびそれを用いた照明器具ユニットである。照明器具は、ＬＥＤ光源と、ＬＥＤ光源を収容する筐体と、ＬＥＤ光源と電気的に接続されＬＥＤ光源を点灯制御する点灯制御部とを有する。筐体は、筐体の長手方向において互いに対向する第１の面および第２の面と、第３の面と第４の面と第５の面とを有する。第３の面は第１の面と第２の面とを繋いでいる。第４の面は第３の面に接続され、第１の面と第２の面とを繋いでいる。第５の面は第４の面に接続され、第１の面と第２の面とを繋いでいる。筐体は開口部を有し、開口部は第１の面と第２の面と第３の面と第５の面とで囲われている。筐体の内面、すなわち第１の面と第２の面と第３の面と第４の面と第５の面とを有する内面の少なくとも一部には反射部が設けられている。
【００１０】
この照明器具は、筐体の長手方向から視て、反射部においてＬＥＤ光源からの光を特定の方向に反射させ、反射部で反射した光を開口部から外部に放射してもよい。
【００１１】
この照明器具は、所定場所に定着する構造物に、上記の特定の方向が水平面において構造物から外側を向く方向に沿うように、設置されてもよい。
【００１２】
さらに、この照明器具は、第３の面が第５の面よりも下側になるように構造物に設置されてもよい。
【００１３】
さらに、第３の面は、筐体の長手方向に細長い矩形状に形成され、第１の面と第２の面とを上記の長手方向で繋ぎ、第５の面は、第３の面と対向するように第４の面に接続され、開口部は、第４の面に対向してもよい。
【００１４】
さらに、ＬＥＤ光源は、第３の面に設置されてもよい。
【００１５】
この照明器具は、筐体の内側において、第４の面と第５の面とはなめらかに接続され、かつ第４の面と第５の面とは、開口部の開口面および第３の面のいずれにも垂直な面との交線が放物線である共通の曲面を有してもよい。
【００１６】
さらに、筐体の内側において、反射部は、第１の面と第２の面と第５の面と第３の面と第４の面とのそれぞれに設けられてもよい。
【００１７】
さらに、筐体の内側において第４の面は、開口部の開口面および第３の面のいずれにも垂直な面との交線が放物線である曲面を有し、第５の面は、第３の面と平行に設けられてもよい。
【００１８】
さらに、筐体の内側において、反射部は、第１の面と第２の面と第３の面と第４の面とのそれぞれに設けられ、第５の面には、ＬＥＤ光源から放射される光の反射を低減させる反射光低減部が設けられてもよい。
【００１９】
さらに、放物線の焦点は筐体内に位置し、ＬＥＤ光源は第３の面上の焦点に設けられてもよい。
【００２０】
照明器具ユニットは、複数の照明器具を備えた照明器具ユニットである。複数の照明器具の各々は上記の照明器具であり、複数の照明器具は、筐体の長手方向と直交する方向に配列され、かつそれぞれの開口部が同じ方向に開口するように配置される。
【００２１】
複数の照明器具のそれぞれの発光色は独立して変更できる。
【００２２】
複数の照明器具は、複数の色と１対１で対応し、複数の照明器具の各々は、ＬＥＤ光源から放射される光を、対応する色に変更する発光色変更パネルを備えてもよい。
【００２３】
本発明の照明器具およびそれを用いた照明器具ユニットによれば、特定の方向へ長距離に渡ってＬＥＤ光源の光を照射することができる。
【図面の簡単な説明】
【００２４】
本発明の好ましい実施形態をより詳細に記載する。本発明の他の特徴および利点は、以下の詳細な記載および添付図面に関連して一層よく理解される。
【図１】実施の形態１の照明器具ユニット１が用いられている橋２を示す概略図である。
【図２】図１に示す橋２の一部拡大図である。
【図３】図３Ａは実施の形態１の照明器具ユニット１の側面図、図３Ｂは照明器具ユニット１の正面図である。
【図４】実施の形態１における照明器具１０の斜視図である。
【図５】図４に示す照明器具１０の線Ａ−Ａの断面図である。
【図６】図６Ａは、図４に示す照明器具１０において第１の側面と第２の側面とを設けなかった場合であって、照明器具１０の左右方向の長さが１００ｃｍのときの照明器具１０の左右方向における放射角を表す図、図６Ｂは、図４に示す照明器具１０において第１の側面と第２の側面とを設けなかった場合であって、照明器具１０の左右方向の長さが３００ｃｍのときの照明器具１０の左右方向における放射角を表す図である。
【図７】実施の形態１の照明器具１０の左右方向の長さが１５０ｃｍのときの左右方向への放射角を表す図である。
【図８】実施の形態２における照明器具２０の斜視図である。
【図９】図９Ａは実施の形態２の照明器具２０の左右方向における放射角を表す図、図９Ｂは実施の形態２の照明器具２０の上下方向における放射角を表す図である。
【発明を実施するための最良の形態】
【００２５】
（実施の形態１）
以下、図面を用いて実施の形態１の照明器具と、この照明器具を用いた照明器具ユニットについて説明する。【００２６】
図１は実施の形態１の照明器具ユニットが用いられている橋２である。橋２は、所定場所に定着する構造物である。図１に示すように、２つの主塔３と、１組のメインケーブル４と、メインケーブル４から垂直に垂れる複数のハンガーロープ５とによって桁６が支持されている。１組のメインケーブル４は主塔３に架けられ、桁６の短手方向の両端にそれぞれ位置する。図２は図１に示す橋２の部分Ａの一部拡大図である。図２に示すように、照明器具ユニット１がハンガーロープ５の先端付近に設けられている。橋２の複数のハンガーロープ５のそれぞれに、照明器具ユニット１が設けられている。照明器具ユニット１は、橋２の外側に向かって水平方向へ光を照射するように設けられている。すなわち、照明器具ユニット１は、各照明器具１０の開口面１７１（図４参照）側を正面とし、照明器具ユニット１の正面が橋２の外側を向くように、照明器具ユニット１は、橋２に設けられている。【００２７】
図３Ａ，３Ｂは実施の形態１の照明器具ユニット１を示し、図３Ａは照明器具ユニット１の側面図、図３Ｂは照明器具ユニット１の正面図である。実施の形態１の照明器具ユニット１は３つの照明器具１０を有する。照明器具１０はそれぞれ取り付け基台（図示せず）によって照明器具ユニット１の本体に固定されている。なお、照明器具ユニット１に設けられる照明器具１０の数は３つに限られず、１つまたは複数であってもよい。照明器具ユニット１は取り付け金具７によって、水平方向に光を照射するようにハンガーロープ５に固定されている。【００２８】
このように照明器具ユニット１が橋２に複数取り付けられて、イルミネーションなどの目的で使用される。照明器具ユニット１がイルミネーションの目的として使用される場合、照明器具ユニット１から放射された光が遠方からでも視認できるように、照明器具ユニット１に高出力の光源が用いられる。【００２９】
しかし、光源にＬＥＤを用いた場合には、発光面が小さいので直視では長距離から視認性を確保することが難しい。また光源からの発光方向が限られているため視野角が狭い。【００３０】
また、このような高出力の光源は、橋２の近傍の上空を通過する航空機、または橋２の下を通る船舶の運転手が直視した場合には、その運転手の視力を一時的に低下させることがある。そのため、高出力の光源を有する照明器具ユニット１を橋２に取り付ける際には、橋２の近傍を通過する航空機または船舶の運転手の視力を低下させないように、照明器具ユニット１から放射される光の鉛直方向の放射角は制限される。すなわち、照明器具ユニット１から鉛直方向へ放射される光は制限される。よって照明器具ユニット１は、光をほぼ前方に放射するように橋２に設置される。ここで「前方」とは、橋２に照明器具ユニット１が設けられた場合に、照明器具ユニット１が光を照射する方向であり、実施の形態１においては、ほぼ水平方向を指すとする。【００３１】
本発明の照明器具１０は上記課題を解決するものである。図４は実施の形態１における照明器具１０の斜視図である。照明器具１０は、ＬＥＤ光源１１と、ＬＥＤ光源１１を収容する筐体１２と、ＬＥＤ光源１１と電気的に接続されＬＥＤ光源１１を点灯制御する点灯制御部（制御部）９（図３Ａ参照）とを有する。筐体１２は、筐体１２の長手方向（第１の方向）において、互いに対向する第１の側面（第１の面）１３および第２の側面（第２の面）１４と、下面（第３の面）１５と上面（第５の面）１６と背面（第４の面）１９とを有する。下面１５は第１の側面１３と第２の側面１４とを繋いでいる。背面１９は下面１５に接続され、第１の側面１３と第２の側面１４とを繋いでいる。上面１６は背面１９に接続され、第１の側面１３と第２の側面１４とを繋いでいる。ただし、実施の形態１では、上面１６と背面１９とはなめらかに接続され、一体に設けられている。また、上面１６は、下面１５と対向するように背面１９に接続されている。筐体１２は開口部１７を有し、開口部１７は第１の側面１３と第２の側面１４と下面１５と上面１６とで囲われている。開口部１７は背面１９に対向している。筐体１２は第１の側面１３と第２の側面１４とが対向する方向が長手方向（第１の方向）となるように形成される。下面１５は平面に形成され、ＬＥＤ光源１１は下面１５に設けられている。下面１５は、筐体１２の長手方向に細長い矩形状に形成され、第１の側面１３と第２の側面１４とを長手方向で繋いでいる。筐体１２の内側面（筐体１２の内側にある面）、すなわち第１の側面１３と第２の側面１４と下面１５と上面１６と背面１９とのそれぞれには反射部１８が設けられている。反射部１８は、例えば鏡面加工することによって、入射した光を鏡面反射させる。【００３２】
このような構成によって、照明器具１０の発光面を広くし、かつ光を特定の方向へ放射することができるので、長距離からの視認性を確保することができる。またレンズの変わりに反射部１８を用いることによって発光面を広くするので、レンズを用いる場合よりも安価に製造することができる。【００３３】
図３Ａ，３Ｂに示す照明器具ユニット１において、３つの照明器具１０はそれぞれの長手方向（第１の方向）と直交する方向（第２の方向）に配列されている。第１の方向および第２の方向のいずれとも直交する方向を第３の方向とする。また、３つの照明器具１０のそれぞれの開口部１７は同じ方向に開口するように配置されている。このように３つの照明器具１０を配置することで、照明器具ユニット１の全体の大きさの小型化を図ることができる。なお、３つの照明器具１０の開口部１７が開口する方向は、第３の方向に沿った方向である。特に、３つの照明器具１０の開口部１７が開口する方向は、第３の方向であることが好ましい。【００３４】
３つの照明器具１０が配列された照明器具ユニット１は、光を放射する特定の方向が水平面において橋２から外側を向く方向に沿うように、橋２に設置される。また、照明器具ユニット１は、各照明器具１０の下面１５が上面１６よりも下側になるように橋２に設置される。【００３５】
以下に、実施の形態１の照明器具１０の詳細について説明する。図５は図４に示す照明器具１０の線Ａ−Ａの断面図である。図５に示されるように、筐体１２の内側において上面１６と背面１９とはなめらかに接続され、かつ開口部１７の開口面１７１および下面１５のいずれにも垂直な面との交線が放物線である共通の曲面を有する。すなわち、上面１６および背面１９は、長手方向（第１の方向）に法線を有する面との交線が放物線である共通の曲面を有する。上面１６および背面１９は、この放物線の焦点が筐体１２内となるように、それぞれの曲面が形成される。また上記のように上面１６と背面１９とには反射部１８が設けられている。ＬＥＤ光源１１は上面１６および背面１９の放物線の焦点に位置することが望ましい。ＬＥＤ光源１１は放射状に光を発するので、ＬＥＤ光源１１を上面１６および背面１９の放物線の焦点に設置することで、照明器具１０は、ＬＥＤ光源１１の発光を一定の方向へ放射することができる。すなわち、ＬＥＤ光源１１から放射された光線４０は上面１６および背面１９の曲面で反射し、前方へ進む。言い換えると、照明器具１０は、筐体１２の長手方向（第１の方向）から視て、反射部１８においてＬＥＤ光源１１からの光を特定の方向に反射させる。そして、照明器具１０は、反射部１８で反射した光を開口部１７から外部に放射する。このようにＬＥＤ光源１１から放射された光が特定の方向へ反射されることで、長距離からでも照明器具１０の光を視認することができる。すなわち、照明器具１０の光によるイルミネーションを観たい人は、長距離からでも照明器具１０の光を視認することができる。また、航空機または船舶の運転手は、照明器具１０の光を直視することなく、照明器具１０の光を視認することができる。【００３６】
実施の形態１において、反射部１８は筐体１２の内側面（内面）の全面に設けられることが望ましい。これによってＬＥＤ光源１１から放射される光を効率よく前方（図５の矢印Ｂの方向）へ反射することができる。【００３７】
反射部１８は筐体１２の内側面（内面）の一部に設けてもよい。すなわち、反射部１８は第１の側面１３と第２の側面１４と下面１５と上面１６と背面１９とのそれぞれの少なくとも一部に設けられていてもよい。例えば、筐体１２の内側面（内面）に反射部１８を設ける範囲を調整することによって、照明器具１０の輝度を調節することができる。【００３８】
実施の形態１において、ＬＥＤ光源１１には高出力で白色のＬＥＤ素子を用いている。図３Ａに示すように、筐体１２の開口部１７には開口部１７を覆うように発光色変更パネル２１が設けられている。照明器具ユニット１に設けられた３つの照明器具１０のそれぞれには、異なる色の発光色変更パネル２１が設けられている。図２に示されるように、照明器具ユニット１の近傍には橋２の近傍を通過する航空機に橋２の位置を注意するための、赤色に発光する航空警告灯８が設置される。そのため、例えば、照明器具ユニット１の３つの照明器具１０にはそれぞれ緑色、青色、白色を発光するように発光色変更パネル２１が設けられる。このような発光色変更パネル２１によって、照明器具１０の発光色を変更することによって、簡単に色の変更ができる。また、全てのＬＥＤ光源１１に共通して白色のＬＥＤ素子を用いることができるので、橋２全体に複数の照明器具ユニット１を設ける際などには、より安価に製造または調達することができる。【００３９】
つまり、複数の照明器具１０は、複数の色と１対１で対応し、各照明器具１０は、ＬＥＤ光源１１から放射される光を、対応する色に変更する発光色変更パネル２１を備えている。【００４０】
なお、照明器具ユニット１の３つの照明器具１０に設置されるＬＥＤ光源１１は、それぞれが異なる発色をするＬＥＤ素子であってもよい。例えば、ＬＥＤ光源１１の発色を点灯制御部９（図３Ａ参照）が調光することによって、異なる発色を実現することができる。この場合、発光色変更パネル２１は不要である。【００４１】
上記の構成によって、照明器具ユニット１は異なる発色が可能となり、イルミネーションとして用いられる場合にさまざまな点灯パターンを提供することができる。【００４２】
照明器具ユニット１が橋のイルミネーション用として設けられる場合には、近くを通過する船舶や航空機の運転手が照明器具１０から放射される光を直視することを防ぐために、鉛直方向への放射角は制限される。しかしながら、長距離からの視認性を確保するためには、発光面を広くすることが求められる。そのため照明器具１０は、上下方向（第２の方向）の放射角を狭め、かつ発光面を広くするために、筐体１２の左右方向（第１の方向）の長さを長くすることによって、長距離からの視認性を確保するのに十分な発光面を有することが出来る。【００４３】
図６Ａ、６Ｂは、図４に示す照明器具１０において第１の側面１３と第２の側面１４とを設けなかった場合に照明器具１０の左右方向の長さを変化させたときのそれぞれの左右方向における照明器具１０の放射角を表している。図６Ａは左右方向の長さが１００ｃｍのときの放射角を表す図であり、図６Ｂは左右方向の長さが３００ｃｍのときの放射角を表す図である。図６Ａ、６Ｂから分かるように、照明器具１０の左右方向の長さが長いほど、左右方向への放射角が広くなる。すなわち、照明器具１０の正面方向を０°とした場合に、±３０°から±６０°の範囲において、図６Ａに示される放射光の範囲よりも図６Ｂに示される放射光の範囲が広くなっている。【００４４】
一方で、橋２上では照明器具ユニット１は強風を受けるため、その体積はなるべく小さいことが好ましい（図１）。そのため、所望の左右方向への放射角を確保しながらも、照明器具ユニット１を構成する３つの照明器具１０のそれぞれを小型化することが望ましい。【００４５】
実施の形態１の照明器具１０は、筐体１２の長手方向に第１の側面１３と第２の側面１４とを設け、かつ筐体１２の内側に位置する面にそれぞれ反射部１８を設けている。このような構成によって、筐体１２の左右方向が同じ長さであって、かつ第１の側面１３と第２の側面１４とがない場合よりも左右方向においてより広い放射角を得ることができる。図７は実施の形態１の照明器具１０の左右方向の長さが１５０ｃｍのときの左右方向への放射角を表す図である。図７から分かるように、筐体１２に第１の側面１３と第２の側面１４とを設けることによって、図６Ｂに示す筐体１２の左右方向の長さが３００ｃｍで、かつ第１の側面１３と第２の側面１４とを設けなかった場合と同程度の放射角を、左右方向において実現することができる。すなわち、±３０°から±６０°の範囲において、図６Ａに示される放射光の範囲よりも図７に示される放射光の範囲が広くなっている。【００４６】
例えば、下面１５と背面１９と上面１６のみによってＬＥＤ光源１１が囲まれている場合には、ＬＥＤ光源１１から放射される光が筐体１２の長手方向、すなわち図４に示す矢印Ｃ１、Ｃ２の方向へ漏れてしまう虞がある。換言すれば、図６Ａに示すおよそ±９０°方向へ、ＬＥＤ光源１１から放射される光が漏れてしまうことで、ＬＥＤ光源１１から放射される光のうち正面方向（およそ−６０°から＋６０°の範囲）への寄与が減少してしまう。【００４７】
しかし、下面１５と背面１９と上面１６とに加えて、第１の側面１３と第２の側面１４をさらに設けると、例えば図６Ａに示すおよそ±９０°方向へ放射された光が反射することによって、ＬＥＤ光源１１から放射される光のうち、正面方向（およそ−６０°から＋６０°の範囲）への寄与を増加させることができる。【００４８】
以上のように、照明器具１０の筐体１２の長手方向に第１の側面１３と第２の側面１４とを設け、かつ筐体１２の内側に位置する面にそれぞれ反射部１８を設けることによって、小型化を図るとともに、左右方向への放射角を確保することができる。【００４９】
なお、実施の形態１において第１の側面１３と第２の側面１４とは平面であるが、平面には限らない。例えば第１の側面１３と第２の側面１４とは曲面であってもよい。【００５０】
（実施の形態２）
以下、図面を用いて実施の形態２の照明器具について説明する。【００５１】
図８は実施の形態２の照明器具２０の斜視図である。照明器具２０はＬＥＤ光源１１と、ＬＥＤ光源１１を収容する筐体２２と、ＬＥＤ光源１１と電気的に接続されＬＥＤ光源１１を点灯制御する点灯制御部９（図３Ａ参照）とを有する。筐体２２は、互いに対向する第１の側面（第１の面）２３および第２の側面（第２の面）２４と、下面（第３の面）２５と上面（第５の面）２６と背面（第４の面）２９とを有する。【００５２】
下面２５は第１の側面２３と第２の側面２４とを繋いでいる。背面２９は下面２５に接続され、第１の側面２３と第２の側面２４とを繋いでいる。上面２６は背面２９に接続され、第１の側面２３と第２の側面２４とを繋いでいる。下面２５と上面２６とはそれぞれ第１の側面２３と第２の側面２４とを繋いでいる。筐体２２は開口部２７を有し、開口部２７は第１の側面２３と第２の側面２４と下面２５と上面２６とで囲われている。筐体２２は第１の側面２３と第２の側面２４とが対向する方向が長手方向（第１の方向）となるように形成される。下面２５は平面に形成され、ＬＥＤ光源１１は下面２５に設けられている。下面２５は、筐体２２の長手方向に細長い矩形状に形成され、第１の側面２３と第２の側面２４とを長手方向で繋いでいる。【００５３】
筐体２２の内側において背面２９は、開口部２７の開口面２７１および下面２５のいずれにも垂直な面との交線が放物線である曲面を有する。すなわち、背面２９は、長手方向（第１の方向）に法線を有する面との交線が放物線である共通の曲面を有する。上面２６は下面２５と平行に設けられている。【００５４】
実施の形態１の照明器具１０と同様に、照明器具２０も実施の形態１の照明器具ユニット１に用いることができる。また実施の形態１の照明器具１０と同様に、照明器具２０のＬＥＤ光源１１に白色の発光素子を用いた場合には、図３Ａに示されているように、発光色変更パネル２１を開口部２７に設けることで、照明器具２０の発光色を変更することができる。また、照明器具２０のＬＥＤ光源１１にＲＧＢの発光素子を用いた場合には、それぞれのＬＥＤ光源１１と電気的に接続されている点灯制御部９が調光することによって、発光色を変更することができる。【００５５】
また、実施の形態１で述べた構成を実施の形態２の照明器具２０に適用することによっても同様の効果が得られる。実施の形態２の照明器具２０においても、背面２９と開口部２７の開口面２７１および下面２５に垂直な面との交線である放物線の焦点にＬＥＤ光源１１を設置することが望ましい。このようにすることで、照明器具２０は、より効率よく前方方向へＬＥＤ光源１１の光を照射することができる。【００５６】
以下に、実施の形態２の照明器具２０の特徴について説明する。図２に示されるように、照明器具ユニット１が橋２に用いられる場合には、照明器具２０が水平方向に光を放射し、かつ近傍を通過する船舶または航空機の運転手が光源を直視しない構成とすることが求められる。実施の形態２の照明器具２０は外から光源をより直視しにくくするために、下面２５と平行な上面２６を有する。照明器具２０に上面２６を設けることで、例えば光源の近傍を通過する人が、上方からＬＥＤ光源１１を直視することを防ぐことができる。【００５７】
図８に示すように、第１の側面２３と第２の側面２４と下面２５と背面２９とには反射部２８がそれぞれ設けられている。実施の形態２において、反射部２８は第１の側面２３と第２の側面２４と下面２５と背面２９とのそれぞれの全面に設けられることが望ましい。このようにすることで、より効率的にＬＥＤ光源１１から発光される光を前方へ放射することができる。【００５８】
一方で、上面２６には反射光低減部３０が設けられる。上面２６は下面２５と平行に設けられているため、仮に上面２６に反射部を設けた場合は、上面２６で反射した光は前方ではなく前方よりも下方に反射する。上述したように、橋に用いられる照明器具においては、鉛直方向への放射角は制限されるので、下方への反射は低減されることが望まれる。そのため、実施の形態２の照明器具２０においては、上面２６に反射光低減部３０を設けることによって、上面２６側から下方へ光が反射することを防ぐことができる。【００５９】
反射光低減部３０は、例えば、筐体２２の内側に位置する上面２６を粗くして形成され、入射した光を乱反射させることによって一方向への反射を低減させることができる。また、たとえば筐体２２の内側に位置する上面２６に黒色塗料などの光吸収材料を反射光低減部３０として塗布することによって、上面２６側から下方への光の反射を低減させることができる。このように筐体２２の内側に反射光低減部３０を有する上面２６を設けることによって、上方からの直視を防ぐと共に下方への反射を低減することができる。【００６０】
図９Ａ、９Ｂは実施の形態２の照明器具２０の放射角を表した図であり、図９Ａは照明器具２０の左右方向における放射角を表し、図９Ｂは照明器具２０の上下方向における放射角を表している。なお、実施の形態２において、照明器具２０の左右方向とは筐体２２の長手方向（第１の方向）であり、照明器具ユニット１は照明器具２０の左右方向が水平方向となるように設置されるとする。また、照明器具２０の上下方向とは下面２５の法線方向（第２の方向）であり、照明器具ユニット１は照明器具２０の上下方向が鉛直方向となるように設置されるとする。図９Ａ、９Ｂからも分かるように、左右方向の放射角に比べて、上下方向の放射角が大幅に制限されている。【００６１】
以上のように、実施の形態２の照明器具２０は、下面２５と平行に設けられ、かつ反射光低減部３０が形成された上面２６を有することによって、上下方向への放射角を小さくするとともに、上方からの直視を防ぐことができる。【００６２】
なお、上記の各実施の形態において、照明器具１０、２０に設けられるＬＥＤ光源１１はそれぞれ１つの発光素子としたが、これに限られない。複数の発光素子を用いてＬＥＤ光源１１を構成してもよい。また、上記の各実施の形態において、ＬＥＤ光源１１は下面１５または下面２５に設けているが、この構成に限られない。例えば下面１５または下面２５には、ＬＥＤ光源１１を設けるための設置台を介して、ＬＥＤ光源１１を設置してもよい。そのような場合でも、背面１９および上面１６が有する曲面と開口部１７の開口面１７１および下面１５のそれぞれに垂直な面との交線である放物線の焦点にＬＥＤ光源１１が位置することが好ましい。背面２９が有する曲面と開口部２７の開口面２７１および下面２５のそれぞれに垂直な面との交線である放物線の焦点にＬＥＤ光源１１が位置することが好ましい。【００６３】
また、上記の各実施の形態において、上下方向（第２の方向）と左右方向（第１の方向）とは照明器具ユニット１および照明器具１０，２０における相対的な方向を言い、水平方向と鉛直方向とは絶対的な方向を言う。【００６４】
なお、各実施の形態において、照明器具１０，２０が第１の面を第１の側面、第２の面を第２の側面、ＬＥＤ光源１１が設置される第３の面を下面、第４の面を背面、第５の面を上面となるような配置の場合について説明したが、照明器具１０，２０の配置はこれには限らない。例えば、照明器具１０，２０は、ＬＥＤ光源１１が設置される第３の面を上面、第５の面が下面となるように配置されてもよい。
【産業上の利用可能性】
【００６５】
本発明の照明器具は、特定の方向へ長距離に渡ってＬＥＤ光源の光を照射することができ、また、照明器具から放射された光の上下方向への放射角をより小さくすることができるので、橋またはタワーなどの建造物のイルミネーションや、ライトアップの照明などに利用することができる。【００６６】
本発明をいくつかの好ましい実施形態によって記載したが、本発明の本来の精神および範囲、すなわち請求の範囲を逸脱することなく、当業者によってさまざまな修正および変形が可能である。
【図１】
2013183205.tif 000003
【図２】
2013183205.tif 000004
【図３】
2013183205.tif 000005
【図４】
2013183205.tif 000006
【図５】
2013183205.tif 000007
【図６】
2013183205.tif 000008
【図７】
2013183205.tif 000009
【図８】
2013183205.tif 000010
【図９】
2013183205.tif 000011
【手続補正書】
【提出日】平成26年5月27日(2014.5.27)
【手続補正１】
【補正対象書類名】特許請求の範囲
【補正対象項目名】全文
【補正方法】変更
【補正の内容】
【特許請求の範囲】
【請求項１】
互いに平行な平面である上面および下面と、
前記下面の中央部に設けられたＬＥＤ光源と、
前記上面と前記下面とを繋ぎ、内側断面が放物線を押し出した形状の面である背面とを備え、
特定の方向を照射方向とし、
前記上面と前記下面とが対向する方向を上下方向とし、
前記上下方向に直交した方向であり、かつ、前記背面に沿った方向を長手方向とし、
前記長手方向から視て、前記ＬＥＤ光源から放射された光が前記背面において前記照射方向に平行に反射するように、前記ＬＥＤ光源に対して前記背面が配置された照明器具であって、
前記長手方向に対向し、前記上面と前記下面と前記背面とを接続する第１の側面および第２の側面をさらに備え、
前記第１の側面は、前記ＬＥＤ光源からの光の一部が前記第２の側面側であって前記照射方向側に反射するように設けられ、
前記第２の側面は、前記ＬＥＤ光源からの光の一部が前記第１の側面側であって前記照射方向側に反射するように設けられ、
前記上面に設けられ、前記ＬＥＤ光源から放射される光の反射を低減させる反射光低減部をさらに備える照明器具。
【請求項２】
前記照明器具は建造物に設置され、前記照明器具から照射された光は前記建造物から外側に照射される請求項１記載の照明器具。
【請求項３】
請求項１記載の照明器具を備える照明器具ユニットであって、
前記ＬＥＤ光源から直接照射された光であって、前記上面または前記下面よりも前記照射方向側に向かう光の一部を遮蔽する遮蔽面を備える照明器具ユニット。
【請求項４】
前記建造物は橋梁であり、前記照明器具から照射された光の前記照射方向は水平方向である請求項２記載の照明器具。
【請求項５】
請求項２記載の照明器具を複数備え、前記複数の照明器具は積層して設けられている照明器具ユニット。
【手続補正２】
【補正対象書類名】明細書
【補正対象項目名】０００９
【補正方法】変更
【補正の内容】
【０００９】
本発明の照明器具および照明器具ユニットは上記課題を解決する照明器具およびそれを用いた照明器具ユニットである。照明器具は、互いに平行な平面である上面および下面と、下面の中央部に設けられたＬＥＤ光源と、上面と下面とを繋ぎ、内側断面が放物線を押し出した形状の面である背面とを備え、特定の方向を照射方向とし、上面と下面とが対向する方向を上下方向とし、上下方向に直交した方向であり、かつ、背面に沿った方向を長手方向とし、長手方向から視て、ＬＥＤ光源から放射された光が背面において照射方向に平行に反射するように、ＬＥＤ光源に対して背面が配置されている。照明器具は、長手方向に対向し、上面と下面と背面とを接続する第１の側面および第２の側面をさらに備える。第１の側面は、ＬＥＤ光源からの光の一部が第２の側面側であって照射方向側に反射するように設けられる。第２の側面は、ＬＥＤ光源からの光の一部が第１の側面側であって照射方向側に反射するように設けられる。上面に設けられ、ＬＥＤ光源から放射される光の反射を低減させる反射光低減部をさらに備える。
【手続補正３】
【補正対象書類名】明細書
【補正対象項目名】００１０
【補正方法】変更
【補正の内容】
【００１０】
この照明器具は建造物に設置され、照明器具から照射された光は建造物から外側に照射されてもよい。
【手続補正４】
【補正対象書類名】明細書
【補正対象項目名】００１１
【補正方法】変更
【補正の内容】
【００１１】
照明器具ユニットは、上記の照明器具を備え、ＬＥＤ光源から直接照射された光であって、上面または下面よりも照射方向側に向かう光の一部を遮蔽する遮蔽面を備える。
【手続補正５】
【補正対象書類名】明細書
【補正対象項目名】００１２
【補正方法】変更
【補正の内容】
【００１２】
この照明器具において、建造物は橋梁であり、照明器具から照射された光の照射方向は水平方向であってもよい。
【手続補正６】
【補正対象書類名】明細書
【補正対象項目名】００１３
【補正方法】変更
【補正の内容】
【００１３】
この照明器具ユニットは、上記の照明器具を複数備え、複数の照明器具は積層して設けられていてもよい。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正書】
【提出日】平成27年4月6日(2015.4.6)
【手続補正１】
【補正対象書類名】特許請求の範囲
【補正対象項目名】全文
【補正方法】変更
【補正の内容】
【特許請求の範囲】
【請求項１】
互いに平行な平面である上面および下面と、
前記下面の中央部に設けられたＬＥＤ光源と、
前記上面と前記下面とを繋ぎ、内側断面が放物線を押し出した形状の面である背面とを備え、
特定の方向を照射方向とし、
前記上面と前記下面とが対向する方向を上下方向とし、
前記上下方向に直交した方向であり、かつ、前記背面に沿った方向を長手方向とし、
前記長手方向から視て、前記ＬＥＤ光源から放射された光が前記背面において前記照射方向に平行に反射するように、前記ＬＥＤ光源に対して前記背面が配置された照明器具を備える照明器具ユニットであって、
前記照明器具は、
前記長手方向に対向し、前記上面と前記下面と前記背面とを接続する第１の側面および第２の側面をさらに備え、
前記第１の側面は、前記ＬＥＤ光源からの光の一部が前記第２の側面側であって前記照射方向側に反射するように設けられ、
前記第２の側面は、前記ＬＥＤ光源からの光の一部が前記第１の側面側であって前記照射方向側に反射するように設けられ、
前記上面に設けられ、前記ＬＥＤ光源から放射される光の反射を低減させる反射光低減部をさらに備え、
前記照明器具ユニットは、
前記ＬＥＤ光源から直接照射された光であって、前記上面または前記下面よりも前記照射方向側に向かう光の一部、または、前記ＬＥＤ光源から照射された光であって、前記上面または前記下面により反射された光の一部を遮蔽する遮蔽面を備える
照明器具ユニット。
【請求項２】
前記照明器具ユニットは建造物に設置され、前記照明器具から照射された光は前記建造物から外側に照射される請求項１記載の照明器具ユニット。
【請求項３】
前記建造物は橋梁であり、前記照明器具から照射された光の前記照射方向は水平方向である請求項２記載の照明器具ユニット。
【手続補正３】
【補正対象書類名】明細書
【補正対象項目名】０００１
【補正方法】変更
【補正の内容】
【０００１】
本発明は、ＬＥＤ光源からの照射を制御する照明器具を用いた照明器具ユニットに関する。
【手続補正４】
【補正対象書類名】明細書
【補正対象項目名】０００８
【補正方法】変更
【補正の内容】
【０００８】
本発明の目的は、特定の方向へ長距離に渡ってＬＥＤ光源の光を照射できる照明器具ユニットを提供することである。
【手続補正５】
【補正対象書類名】明細書
【補正対象項目名】０００９
【補正方法】変更
【補正の内容】
【０００９】
本発明の照明器具ユニットは上記課題を解決する照明器具ユニットである。照明器具ユニットは、照明器具を備える。照明器具は、互いに平行な平面である上面および下面と、下面の中央部に設けられたＬＥＤ光源と、上面と下面とを繋ぎ、内側断面が放物線を押し出した形状の面である背面とを備え、特定の方向を照射方向とし、上面と下面とが対向する方向を上下方向とし、上下方向に直交した方向であり、かつ、背面に沿った方向を長手方向とし、長手方向から視て、ＬＥＤ光源から放射された光が背面において照射方向に平行に反射するように、ＬＥＤ光源に対して背面が配置されている。照明器具は、長手方向に対向し、上面と下面と背面とを接続する第１の側面および第２の側面をさらに備える。第１の側面は、ＬＥＤ光源からの光の一部が第２の側面側であって照射方向側に反射するように設けられる。第２の側面は、ＬＥＤ光源からの光の一部が第１の側面側であって照射方向側に反射するように設けられる。上面に設けられ、ＬＥＤ光源から放射される光の反射を低減させる反射光低減部をさらに備える。照明器具ユニットは、ＬＥＤ光源から直接照射された光であって、上記上面または上記下面よりも照射方向側に向かう光の一部、または、ＬＥＤ光源から照射された光であって、上記上面または上記下面により反射された光の一部を遮蔽する遮蔽面を備える。
【手続補正６】
【補正対象書類名】明細書
【補正対象項目名】００１０
【補正方法】変更
【補正の内容】
【００１０】
この照明器具ユニットは建造物に設置され、照明器具から照射された光は建造物から外側に照射されてもよい。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
この照明器具ユニットにおいて、建造物は橋梁であり、照明器具から照射された光の照射方向は水平方向であってもよい。
【手続補正９】
【補正対象書類名】明細書
【補正対象項目名】００１３
【補正方法】削除
【補正の内容】
【国際調査報告】
2013183205.tif 000012
2013183205.tif 000013
2013183205.tif 000014
2013183205.tif 000015